(57)【要約】      （修正有）【課題】非リムーバブルな記録メディアを有さない記録装置で記録されたデジタルコンテンツを、著作権者の権利を侵害することなく有限回数誤りなしに複製を可能とする。【解決手段】受信したコンテンツを記録する、装置の固有情報を有した記録再生装置と、該記録再生装置で記録されたコンテンツを複製する複製装置と、コンテンツの複製回数を管理する制御サーバとの間で、データを送受信可能に接続された複製制御システムにおいて、前記制御サーバが、記録再生装置から受信した記録されたコンテンツに関する情報及び装置の固有情報を関連付けて複製可能回数とともに保存する管理部を備え、記録されたコンテンツを複製する場合に、保存された複製可能回数を確認し、複製可能回数が残っていれば１回分減らし、前記記録再生装置から前記複製装置に複製するコンテンツを送信する。【選択図】図１
2011087205.tif 000002
【特許請求の範囲】
【請求項１】
受信したコンテンツを記録する、装置の固有情報を有した記録再生装置と、該記録再生装置で記録されたコンテンツを複製する複製装置と、コンテンツの複製回数を管理する制御サーバとの間で、データを送受信可能に接続された複製制御システムであって、
前記制御サーバは、記録再生装置から受信した記録されたコンテンツに関する情報及び装置の固有情報を関連付けて複製可能回数とともに保存する管理部と、これを制御する制御部を備え、
複製装置で、前記記録再生装置で記録されたコンテンツを複製する場合に、前記管理部は、保存された複製可能回数を確認し、複製可能回数が残っていれば、１回分減らし、前記制御部は、前記記録再生装置から前記複製装置に複製するコンテンツを送信するための処理を行うことを特徴とする複製制御システム。
【請求項２】
前記複製装置から複製終了に関する情報が受信できない場合に、前記管理部は、１回分減らした複製可能回数を戻すことを特徴とする請求項１に記載の複数制御システム。
【請求項３】
前記制御サーバから複製有効情報を受信できない場合に、前記複製装置は、複製していたコンテンツを消去することを特徴とする請求項１に記載の複数制御システム。
【請求項４】
前記固有情報は、装置のシリアル番号、あるいは、Ｂ−ＣＡＳカードの番号であることを特徴とする請求項１に記載の複数制御システム。
【請求項５】
受信したコンテンツを記録する、装置の固有情報を有した記録再生装置と、該記録再生装置で記録されたコンテンツを複製する複製装置と、コンテンツの複製回数を管理する制御サーバとの間で、データを送受信可能に接続された複製制御システムにおける制御サーバであって、
記録再生装置から受信した記録されたコンテンツに関する情報及び装置の固有情報を関連付けて複製可能回数とともに保存する管理部と、これを制御する制御部を備え、
複製装置で、前記記録再生装置で記録されたコンテンツを複製する場合に、前記管理部は、保存された複製可能回数を確認し、複製可能回数が残っていれば、１回分減らし、前前記制御部は、前記記録再生装置から前記複製装置に複製するコンテンツを送信するための処理を行うことを特徴とする制御サーバ。
【請求項６】
前記複製装置から複製終了に関する情報が受信できない場合に、前記管理部は、１回分減らした複製可能回数を戻すことを特徴とする請求項５に記載の制御サーバ。
【請求項７】
前記複製装置から複製終了に関する情報を受信した場合に、前記複製装置に複製有効情報を送信することを特徴とする請求項５に記載の制御サーバ。
【請求項８】
前記固有情報は、装置のシリアル番号、あるいは、Ｂ−ＣＡＳカードの番号であることを特徴とする請求項５に記載の制御サーバ。
【請求項９】
受信したコンテンツを記録する、装置の固有情報を有した記録再生装置と、該記録再生装置で記録されたコンテンツを複製する複製装置との間で、データを送受信可能に接続された複製制御システムであって、
前記記録再生装置は、記録されたコンテンツに関する情報及び装置の固有情報を関連付けて複製可能回数とともに保存する管理部と、これを制御する制御部を備え、
複製装置で、前記記録再生装置で記録されたコンテンツを複製する場合に、前記管理部は、保存された複製可能回数を確認し、複製可能回数が残っていれば、１回分減らし、前記制御部は、前記記録再生装置から前記複製装置に複製するコンテンツを送信するための処理を行うことを特徴とする複製制御システム。
【請求項１０】
前記複製装置から複製終了に関する情報が受信できない場合に、前記管理部は、１回分減らした複製可能回数を戻すことを特徴とする請求項９に記載の複数制御システム。
【請求項１１】
前記記録再生装置から複製有効情報を受信できない場合に、前記複製装置は、複製していたコンテンツを消去することを特徴とする請求項９に記載の複数制御システム。
【請求項１２】
前記固有情報は、装置のシリアル番号、あるいは、Ｂ−ＣＡＳカードの番号であることを特徴とする請求項９に記載の複数制御システム。
【請求項１３】
受信したコンテンツを記録する、装置の固有情報を有した記録再生装置と、該記録再生装置で記録されたコンテンツを複製する複製装置との間で、データを送受信可能に接続された複製制御システムにおける記録再生装置であって、
記録されたコンテンツに関する情報及び装置の固有情報を関連付けて複製可能回数とともに保存する管理部と、これを制御する制御部を備え、
複製装置で、前記記録再生装置で記録されたコンテンツを複製する場合に、前記管理部は、保存された複製可能回数を確認し、複製可能回数が残っていれば、１回分減らし、前記制御部は、前記複製装置に複製するコンテンツを送信するための処理を行うことを特徴とする記録再生装置。
【請求項１４】
前記複製装置から複製終了に関する情報が受信できない場合に、前記管理部は、１回分減らした複製可能回数を戻すことを特徴とする請求項１３に記載の記録再生装置。
【請求項１５】
前記複製装置から複製終了に関する情報を受信した場合に、前記複製装置に複製有効情報を送信することを特徴とする請求項１３に記載の記録再生装置。
【請求項１６】
前記固有情報は、装置のシリアル番号、あるいは、Ｂ−ＣＡＳカードの番号であることを特徴とする請求項１３に記載の記録再生装置。
【発明の詳細な説明】
【技術分野】
【０００１】
本発明は、記録再生装置または制御サーバ及びこれらを用いた複製制御システムに関するものである。
【背景技術】
【０００２】
デジタル放送の普及に伴い、複製を繰り返しても画質・音質が劣化することのないデジタルコンテンツの録画/複製の制御に関し、著作権者、番組制作会社、放送事業者の権利を保護するため、有限回数の複製を認める運用が始まっている。
【０００３】
ただし、これは複製の回数を制御するために、内部に非リムーバブルな記録メディア(HDD)を具備した記録装置で記録した場合に限られている。そのため、非リムーバブル領域を持たない(容量が小さい)携帯機器や、リムーバブルな記録メディア(SDカード、光ディスク等)に直接記録をした場合に有限回数の複製を実現することが出来ない。
【０００４】
これを解決するために、例えば、特許文献1に示されるように、記録メディアに録画された有限回コピー可能な録画番組をAVネットワークで転送する際に、転送していることを検出してから所定の時間が経過した時点で該録画番組の該コピー可能カウンタを1減らす処理を行う発明が提案されている。
【先行技術文献】
【特許文献】
【０００５】
【特許文献１】特開２００８−２０５５５４号公報
【発明の概要】
【発明が解決しようとする課題】
【０００６】
特許文献１の発明では、データ読出し後に一定の時間経過のみを条件にコピー可能回数を減じてしまうため、例えばその後の受け側でエラーが生じてしまった際のケアを行うことが出来ない。また、リムーバブルなメディアに記録をした場合、記録を行った装置がない環境では、複製を実現することが出来ない。
【０００７】
本発明の目的は、非リムーバブルな記録メディアを有さない記録装置やリムーバブルな記録メディアに記録されたデジタルコンテンツを、著作権者の権利を侵害することなく有限回数誤りなしに複製を可能とすることにある。
【課題を解決するための手段】
【０００８】
上記目的を達成するための本発明は、受信したコンテンツを記録する、装置の固有情報を有した記録再生装置と、該記録再生装置で記録されたコンテンツを複製する複製装置と、コンテンツの複製回数を管理する制御サーバとの間で、データを送受信可能に接続された複製制御システムであって、前記制御サーバは、記録再生装置から受信した記録されたコンテンツに関する情報及び装置の固有情報を関連付けて複製可能回数とともに保存する管理部と、これを制御する制御部を備え、複製装置で、前記記録再生装置で記録されたコンテンツを複製する場合に、前記管理部は、保存された複製可能回数を確認し、複製可能回数が残っていれば、１回分減らし、前記制御部は、前記記録再生装置から前記複製装置に複製するコンテンツを送信するための処理を行うようにする。
【０００９】
また、前記複製装置から複製終了に関する情報が受信できない場合に、前記管理部は、１回分減らした複製可能回数を戻すようにする。
【００１０】
また、前記制御サーバから複製有効情報を受信できない場合に、前記複製装置は、複製していたコンテンツを消去するようにする。
【００１１】
また、別の本発明は、受信したコンテンツを記録する、装置の固有情報を有した記録再生装置と、該記録再生装置で記録されたコンテンツを複製する複製装置との間で、データを送受信可能に接続された複製制御システムであって、前記記録再生装置は、記録されたコンテンツに関する情報及び装置の固有情報を関連付けて複製可能回数とともに保存する管理部と、これを制御する制御部を備え、複製装置で、前記記録再生装置で記録されたコンテンツを複製する場合に、前記管理部は、保存された複製可能回数を確認し、複製可能回数が残っていれば、１回分減らし、前記制御部は、前記記録再生装置から前記複製装置に複製するコンテンツを送信するための処理を行うようにする。
【００１２】
また、前記複製装置から複製終了に関する情報が受信できない場合に、前記管理部は、１回分減らした複製可能回数を戻すようにする。
【００１３】
また、前記記録再生装置から複製有効情報を受信できない場合に、前記複製装置は、複製していたコンテンツを消去するようにする。
【発明の効果】
【００１４】
非リムーバブルな記録メディアを有さない記録装置やリムーバブルな記録メディアに記録されたデジタルコンテンツを、著作権者の権利を侵害することなく有限回数誤りなしに複製することが出来る。
【図面の簡単な説明】
【００１５】
【図１】ディジタルコンテンツ記録再生装置及び、それを用いた複製制御システムの一実施例の概略構成を示す図である。
【図２】ディジタルコンテンツ記録再生装置及び、それを用いた複製制御システムでの放送番組記録動作フローを示す図である。
【図３】ディジタルコンテンツ記録再生装置及び、それを用いた複製制御システムでの放送番組複製動作フローを示す図である。
【図４】ディジタルコンテンツ記録再生装置及び、それを用いた複製制御システムの一実施例の概略構成を示す図である。
【図５】ディジタルコンテンツ記録再生装置及び、それを用いた複製制御システムでの放送番組記録動作フローを示す図である。
【図６】ディジタルコンテンツ記録再生装置及び、それを用いた複製制御システムでの放送番組複製動作フローを示す図である。
【発明を実施するための形態】
【００１６】
以下本発明の実施の形態に関して説明する。
【実施例１】
【００１７】
実施例１について図１、図２、図３を用いて説明する。
【００１８】
図１は本発明を用いたディジタルコンテンツ記録再生装置及び、それを用いた複製制御システムの概略構成図である。放送番組受信記録・再生装置１は、制御部１０１、放送番組受信部１０２、放送番組記録部１０３、装置固有情報保持部１０４、送受信部１０５を備える。また、複製回数制御サーバー２は、制御部２０１、送受信部２０２、録画番組情報記録/管理部２０３を備える。また、複製装置３は、制御部３０１、送受信部３０２、データ記録部３０３を備える。
【００１９】
図２は本発明を用いたディジタルコンテンツ記録再生装置及び、それを用いた複製制御システムにて放送番組を記録する際の動作フローの一例を示す図である。
【００２０】
図３は本発明を用いたディジタルコンテンツ記録再生装置及び、それを用いた複製制御システムにて放送番組を複製する際の動作フローの一例を示す図である。
【００２１】
放送番組を記録する際の動作に関して図１及び、図２を用いて説明する。
【００２２】
放送番組受信記録・再生装置１に対するユーザの操作、もしくは図示されていないタイマーからの記録開始要求等により記録動作を開始する。
【００２３】
記録要求を受けた制御部１０１は、放送番組記録部１０３に対して放送番組記録開始要求を出力する(Ｓ１０１)。
【００２４】
放送番組記録部１０３では、放送番組受信部１０２で図示されていない放送局から受信した放送番組が、記録可能か否かをチェックする(Ｓ１０２)。
【００２５】
記録不可であった場合、制御部１０１は、例えば図示されていないディスプレイ等を用いてユーザに記録不可である旨通知し、動作を終了させる(Ｓ１０３)。
【００２６】
記録可能であった場合、制御部１０１は、装置固有情報保持部１０４から装置の固有情報を読出し、放送番組記録部１０３に送信する(Ｓ１０４)。この場合の固有情報は、例えばディジタル放送受信装置に挿入されているB-CASカードのID番号や、装置のシリアル番号等を利用する。
【００２７】
放送番組記録部１０３は、図示されていない記録媒体に、この固有情報と放送番組を記録し(Ｓ１０５)、放送番組受信記録・再生装置１に対するユーザの操作、もしくは図示されていないタイマーからの記録停止要求等により記録動作を終了するまで動作を継続する(Ｓ１０６)。この場合の記録媒体は、例えば、光ディスク等のリムーバブルメディアやHDD等の非リムーバブルメディアを利用する。
【００２８】
記録動作終了後、制御部１０１は、放送番組記録部１０３から、番組情報及び、同時に記録されている記録を行った装置の固有情報を読出し、送受信部１０５経由で複製回数制御サーバ２に送信する(Ｓ１０７)。
【００２９】
複製回数制御サーバー２の送受信部２０２で受信した信号が、番組情報及び、同時に記録されている記録を行った装置の固有情報の場合、制御部２０１は受信した情報を録画番組情報記録/管理部２０３に記録する(Ｓ１０８)。
【００３０】
次に記録された放送番組を複製する際の動作に関して図１及び、図３を用いて説明する。
【００３１】
複製装置３に対するユーザの操作により複製動作を開始する。
【００３２】
複製要求を受けた制御部３０１は、送受信部３０２を介して、放送番組受信記録・再生装置１宛てに放送番組複製開始要求を出力する(Ｓ２０１)。
【００３３】
放送番組受信記録・再生装置１の送受信部１０５で受信した信号が放送番組複製開始要求であった場合、制御部１０１は放送番組記録部１０３から、番組情報を読出し、要求されたコンテンツが複製可能か否かを判断する(Ｓ２０２)。
【００３４】
複製不可であった場合、制御部１０１は、複製不可である旨複製装置３宛て通知を行う。これを受けて、複製装置３では、例えば図示されていないディスプレイ等を用いてユーザに複製不可である旨通知し、動作を終了させる(Ｓ２０３)。
【００３５】
複製可能であった場合、複製可能回数(残数)を確認するために、制御部１０１は、放送番組記録部１０３から、番組情報及び、同時に記録されている記録を行った装置の固有情報を読出し、送受信部１０５経由で複製回数制御サーバ２に送信する(Ｓ２０４)。
【００３６】
複製回数制御サーバー２の送受信部２０２で受信した信号が、複製可能回数問い合わせであった場合、制御部２０１は受信した番組情報及び、同時に記録されている記録を行った装置の固有情報から、該当するコンテンツの複製可能回数を、録画番組情報記録/管理部２０３から読出し残複製可能回数を確認する(Ｓ２０５)。
【００３７】
複製可能回数が"0"であった場合、制御部２０１は、複製不可である旨放送番組記録・再生装置１及び、複製装置３宛て通知を行う。これを受けて、放送番組記録・再生装置１及び、複製装置３では、例えば図示されていないディスプレイ等を用いてユーザに複製不可である旨通知し、動作を終了させる(Ｓ２０６)。
【００３８】
複製可能回数が"1"以上であった場合、制御部２０１は録画番組情報記録/管理部２０３に記録されている、該当コンテンツの複製可能回数を"1"減算し、送受信部２０２を介して、複製可能である旨放送番組記録・再生装置１宛てに通知を行う(Ｓ２０７)。
【００３９】
制御部１０１はこの通知に従い、放送番組記録部１０３を介して図示されていない記録媒体から該当コンテンツを読出し、送受信部１０５を介して、複製装置３宛てコンテンツを送信する(Ｓ２０８)。
【００４０】
複製装置３の制御部３０１は、データ記録部３０３を介して転送されたコンテンツを記録媒体に記録する(Ｓ２０９)。この場合の記録媒体は、例えば、光ディスク等のリムーバブルメディアやHDD等の非リムーバブルメディアを利用する。
【００４１】
放送番組記録・再生装置１は、コンテンツの最後まで転送し終わると(Ｓ２１０)、全コンテンツの転送を終了した旨、複製回数制御サーバー２宛て通知を行う(Ｓ２１１)。
【００４２】
また、複製装置３は、コンテンツの最後まで記録が終わると(Ｓ２１２)、全コンテンツの複製を終了した旨、複製回数制御サーバー宛て通知を行う(Ｓ２１３)。なお、複製装置３は記録開始時に、コンテンツの長さ、内容等を把握することにより、コンテンツの最後を認識することが可能である。
【００４３】
複製回数制御サーバー２は転送終了情報を受信後、複製終了情報の転送を待つ(Ｓ２１４)。
【００４４】
複製終了情報受信後、制御部２０１は、送受信部２０２を介して複製装置３宛て、複製有効情報を送信する(Ｓ２１５)。
【００４５】
複製終了情報が受信できなかった場合(例えば、コピー装置３との接続が切れたり、複製装置３にて書き込みエラーが生じた場合等ある一定期間後に終了情報を受信できなかった場合には)、減算したコピー可能回数を元に戻し、処理を終了する(Ｓ２１６)。
【００４６】
複製有効情報を受けて(Ｓ２１７)、制御部３０１はデータ記録部３０３を介して複製データを有効化する。
【００４７】
複製有効情報を受信できなかった場合(例えば、複製回数制御サーバー２との接続が切れたり、複製装置３にて書き込みエラーが生じた場合等ある一定期間後に有効情報を受信できなかった場合には)、複製データの消去或いは、電気的な破壊を行い処理を終了する(Ｓ２１８)。
【００４８】
本実施例によれば、リムーバブルメディアに記録されたデジタルコンテンツであっても、複製回数の管理により、適切な複製を可能とする。
【００４９】
また、記録時に装置の固有情報と番組情報を関連付けて複製可能回数とともに保存し、複製開始時には複製可能回数をまず減算、最終的にデータを有効化できなかった場合には複製可能回数を元に戻すことによって、不正な複製やエラー時の誤った回数減算に対応することが可能となる。
【００５０】
なお、複製可否や番組情報の問い合わせ先を放送番組記録・再生装置１としたが、複製回数制御サーバーにて配下の記録・再生装置の全てのコンテンツをリスト化し、問い合わせをサーバーのみにする構成にしてもよい。
【００５１】
また、放送番組記録・再生装置の放送番組記録部がリムーバブルメディアであって、複製時に、このリムーバブルメディアが記録を行った放送番組記録再生装置以外の装置にセットされている場合でも、記録時に装置の固有情報と番組情報を関連付けて複製可能回数とともに保存しているため、同様に複製を実現することが可能となる。
【００５２】
更に、本実施例では、放送番組を録画する場合に関して説明したが、VOD等のダウンロード形コンテンツの録画に関して適用してもよい。
【実施例２】
【００５３】
次に実施例２について図４、図５、図６を用いて説明する。
【００５４】
図４は本発明を用いたディジタルコンテンツ記録再生装置及び、それを用いた複製制御システムの概略構成図であり。図４では、図１の記録再生装置に複製回数制御サーバの録画番組情報記録/管理部１０６を追加し、複製回数制御サーバをなくしている。
【００５５】
図５は、本発明を用いたディジタルコンテンツ記録再生装置及び、それを用いた複製制御システムにて放送番組を記録する際の動作フローの一例を示す図である。
【００５６】
図６は、本発明を用いたディジタルコンテンツ記録再生装置及び、それを用いた複製制御システムにて放送番組を複製する際の動作フローの一例を示す図である。
【００５７】
放送番組を記録する際の動作に関して図４及び、図５を用いて説明する。
【００５８】
放送番組受信記録・再生装置１に対するユーザの操作、もしくは図示されていないタイマーからの記録開始要求等により記録動作を開始する。
【００５９】
記録要求を受けた制御部１０１は、放送番組記録部１０３に対して放送番組記録開始要求を出力する(Ｓ３０１)。
【００６０】
放送番組記録部１０３では、放送番組受信部１０２で図示されていない放送局から受信した放送番組が、記録可能か否かをチェックする(Ｓ３０２)。
【００６１】
記録不可であった場合、制御部１０１は、例えば図示されていないディスプレイ等を用いてユーザに記録不可である旨通知し、動作を終了させる(Ｓ３０３)。
【００６２】
記録可能であった場合、制御部１０１は、装置固有情報保持部１０４から装置の固有情報を読出し、放送番組記録部１０３に送信する(Ｓ３０４)。この場合の固有情報は、例えばディジタル放送受信装置に挿入されているB-CASカードのID番号や、装置のシリアル番号等を利用する。
【００６３】
放送番組記録部１０３は、図示されていない記録媒体に、この固有情報と放送番組を記録し(Ｓ３０５)、放送番組受信記録・再生装置１に対するユーザの操作、もしくは図示されていないタイマーからの記録停止要求等により記録動作を終了するまで動作を継続する(Ｓ３０６)。この場合の記録媒体は、例えば、光ディスク等のリムーバブルメディアやHDD等の非リムーバブルメディアを利用する。
【００６４】
記録動作終了後、制御部１０１は、放送番組記録部１０３から、番組情報及び、同時に記録されている記録を行った装置の固有情報を読出し（Ｓ３０７）、録画番組情報記録/管理部１０６に記録する(Ｓ３０８)。
【００６５】
次に記録された放送番組を複製する際の動作に関して図４及び、図６を用いて説明する。
【００６６】
複製装置３に対するユーザの操作により複製動作を開始する。
【００６７】
複製要求を受けた制御部３０１は、送受信部３０２を介して、放送番組記録・再生装置１宛てに放送番組複製開始要求を出力する(Ｓ４０１)。
【００６８】
放送番組受信記録・再生装置１の送受信部１０５で受信した信号が放送番組複製開始要求であった場合、制御部１０１は放送番組記録部１０３から、番組情報を読出し、要求されたコンテンツが複製可能か否かを判断する(Ｓ４０２)。
【００６９】
複製不可であった場合、制御部１０１は、複製不可である旨複製装置３宛て通知を行う。これを受けて、複製装置３では、例えば図示されていないディスプレイ等を用いてユーザに複製不可である旨通知し、動作を終了させる(Ｓ４０３)。
【００７０】
複製可能であった場合、複製可能回数(残数)を確認するために、制御部１０１は、放送番組記録部１０３から、番組情報及び、同時に記録されている記録を行った装置の固有情報を読出す(Ｓ４０４)。
【００７１】
制御部１０１は読出した番組情報及び、同時に記録されている記録を行った装置の固有情報から、該当するコンテンツの複製可能回数を、録画番組情報記録/管理部１０６から読出し残複製可能回数を確認する(Ｓ４０５)。
【００７２】
複製可能回数が"0"であった場合、制御部１０１は、複製不可である旨、複製装置３宛て通知を行う。これを受けて、複製装置３では、例えば図示されていないディスプレイ等を用いてユーザに複製不可である旨通知し、動作を終了させる(Ｓ４０６)。
【００７３】
複製可能回数が"1"以上であった場合、制御部１０１は録画番組情報記録/管理部１０６に記録されている、該当コンテンツの複製可能回数を"1"減算する(Ｓ４０７)。
【００７４】
制御部１０１は、放送番組記録部１０３を介して図示されていない記録媒体から該当コンテンツを読出し、送受信部１０５を介して、複製装置３宛てコンテンツを送信する(Ｓ４０８)。
【００７５】
複製装置３の制御部３０１は、データ記録部３０３を介して転送されたコンテンツを記録媒体に記録する(Ｓ４０９)。この場合の記録媒体は、例えば、光ディスク等のリムーバブルメディアやHDD等の非リムーバブルメディアを利用する。
【００７６】
放送番組記録・再生装置１は、コンテンツの最後まで転送し終わると(Ｓ４１１)、複製終了情報の転送を待つ。
【００７７】
また、複製装置３は、コンテンツの最後まで記録が終わると(Ｓ４１０)、全コンテンツの複製を終了した旨、放送番組記録・再生装置１宛て通知を行う(Ｓ４１２)。なお、複製装置３は記録開始時に、コンテンツの長さ、内容等を把握することにより、コンテンツの最後を認識することが可能である。
【００７８】
複製終了情報受信後、制御部１０１は、送受信部１０５を介して複製装置３宛て、複製有効情報を送信する(Ｓ４１５)。
【００７９】
複製終了情報が受信できなかった場合(例えば、コピー装置３との接続が切れたり、複製装置３にて書き込みエラーが生じた場合等ある一定期間後に終了情報を受信できなかった場合には)、減算したコピー可能回数を元に戻し、処理を終了する(Ｓ４１４)。
【００８０】
複製有効情報を受けて(Ｓ４１６)、制御部３０１はデータ記録部３０３を介して複製データを有効化する。
【００８１】
複製有効情報を受信できなかった場合(例えば、放送番組記録・再生装置１との接続が切れたり、複製装置３にて書き込みエラーが生じた場合等ある一定期間後に有効情報を受信できなかった場合には)、複製データの消去或いは、電気的な破壊を行い処理を終了する(Ｓ４１７)。
【００８２】
上記実施例によれば、実施例１による効果に加えて、放送番組記録・再生装置１内で、放送番組記録時の装置固有情報と番組情報を関連付けて複製可能回数とともに管理することにより、サーバを用意せずとも安価に複製制御システムを構築することが可能となる。
【００８３】
更に、本実施例でも、VOD等のダウンロード形コンテンツの録画に関して適用してもよい。
【００８４】
また、コンテンツ複製時に、複製データの装置固有情報と番組情報を同時に記録することにより、複製データから再度複製データを作成することも可能である。
【符号の説明】
【００８５】
１…放送番組受信記録・再生装置、１０１…制御部、１０２…放送番組受信部、１０３…放送番組記録部、１０４…装置固有情報保持部、１０５…送受信部、２…複製回数制御サーバー、２０１…制御部、２０２…送受信部、２０３…録画番組情報記録/管理部、３…複製装置、３０１…制御部、３０２…送受信部、３０３…データ記録部
【図１】
2011087205.tif 000003
【図２】
2011087205.tif 000004
【図３】
2011087205.tif 000005
【図４】
2011087205.tif 000006
【図５】
2011087205.tif 000007
【図６】
2011087205.tif 000008